(57)【要約】【課題】コード化された文字情報と文字情報の種類を表す制御情報を重畳したテレビジョン放送波を受信可能な受信装置において、視聴者が予め記憶させている出力させたい文字情報のキーワードと受信した文字情報とを比較し、一致した場合に表示装置や情報装置に受信した文字情報を出力させる。【解決手段】この発明の受信装置は、コード化されたテレビジョン放送波を受信可能なチューナ１ー２と、キーワードの保存や文字情報とキーワードの比較や文字情報の蓄積等を行うデータ検出部１ー４と、文字情報とキーワード比較の結果の判断や電力供給等を行う制御部１ー６と、情報装置等に通信するための通信部１ー１０とを備える。【選択図】        図１
2004336462.tif 000002
【特許請求の範囲】
【請求項１】
コード化した文字情報とこの文字情報の種類を表す制御情報を重畳したテレビジョン放送波を受信して復調し、復調した文字情報を映像情報に変換して、復調した制御情報の種類を検索し、検索した判断結果に応じて、入力したテレビジョン放送波に文字情報を合成する機能を備えた受信装置に於いて、
視聴者が表示装置に出力させたい文字情報であるか検索するためのキーワードを入力する入力手段と、
入力された複数のキーワードを記憶するキーワード記憶手段と、
テレビジョン放送波に重畳されてくる文字情報の中に前記キーワード記憶手段に記憶されたキーワードが含まれているか検索し、検索結果を判断する判断手段と、
キーワードを含んだ文字情報と表示装置に即時出力されたか否かを示す出力フラグを記憶する文字情報記憶手段と、
前記文字情報記憶手段に記憶された文字情報を読み出す読み出し手段と、
電源スイッチのＯＮ／ＯＦＦに関わらずテレビジョン放送波の入力や文字情報の検索／判断／記憶に関わる手段への電力を供給し常時稼動させる電力供給手段と、
電源スイッチがＯＮされたことを検知する電源スイッチ検出手段を有し、
電源スイッチがＯＮされた時に、前記文字情報記憶手段から表示装置に即時出力されなかったことを示す出力フラグと共に記憶された文字情報を表示装置に出力させることを特徴とする受信装置。
【請求項２】
コード化した文字情報とこの文字情報の種類を表す制御情報を重畳したテレビジョン放送波を受信して復調し、復調した文字情報を映像情報に変換して、復調した制御情報の種類を検索し、検索した判断結果に応じて、入力したテレビジョン放送波に文字情報を合成する機能を備えた受信装置に於いて、
請求項１記載の入力手段と、
請求項１記載のキーワード記憶手段と、
請求項１記載の判断手段と、
請求項１記載の文字情報記憶手段と、
請求項１記載の読み出し手段と、
キーワードを含んだ文字情報を表示装置に即時出力するか否かを視聴者が選択する文字情報出力選択手段を有し、
前記文字情報出力選択手段によって文字情報を即時出力すると選択された時に、前記文字情報記憶手段から表示装置に即時出力されなかったことを示す出力フラグと共に記憶された文字情報を情報装置に出力させることを特徴とする受信装置。
【請求項３】
コード化した文字情報とこの文字情報の種類を表す制御情報を重畳したテレビジョン放送波を受信して復調し、復調した文字情報を映像情報に変換して、復調した制御情報の種類を検索し、検索した判断結果に応じて、入力したテレビジョン放送波に文字情報を合成する機能を備えた受信装置に於いて、
請求項１記載の入力手段と、
視聴者が文字情報を出力する情報装置を入力する情報装置設定手段と、
請求項１記載のキーワード記憶手段と、
入力された情報装置に任意の送信先に送信する情報を記憶する情報記憶手段と、
請求項１記載の判断手段と、
請求項１記載の文字情報記憶手段と、
請求項１記載の読み出し手段と、
視聴者が指定した情報装置に送信するための通信手段と、
請求項１記載の電力供給手段を有し、
キーワードを含んだ文字情報を受信した時に、前記情報記憶手段で記憶されている情報に従って前記情報装置設定手段で指定された任意の送信先に文字情報を出力させることを特徴とする受信装置。
【請求項４】
コード化した文字情報とこの文字情報の種類を表す制御情報を重畳したテレビジョン放送波を受信して復調し、復調した文字情報を映像情報に変換して、復調した制御情報の種類を検索し、検索した判断結果に応じて、入力したテレビジョン放送波に文字情報を合成する機能を備えた受信装置に於いて、
請求項１記載の入力手段と、
視聴者が文字情報出力とアイコン出力を設定する文字情報／アイコン出力設定手段と、
請求項１記載のキーワード記憶手段と、
請求項１記載の判断手段と、
請求項１記載の文字情報記憶手段と、
請求項１記載の読み出し手段と、
視聴者がキーワードに応じたアイコンの選択／作成／大きさを設定するアイコン設定手段と、
複数のアイコンデータを記憶するアイコン記憶手段と、
アイコンを生成するアイコン生成部を有し、
前記文字情報／アイコン出力設定手段でアイコン出力に設定された期間に出力させたい文字情報を受信した場合には、前記アイコン設定手段で設定したアイコンを視聴中の画像に出来るだけ邪魔にならないように画面の隅等に出力させ、前記文字情報／アイコン出力設定手段で文字情報出力に設定された場合には、出力しているアイコンに対応した文字情報を表示装置に出力させることを特徴とする受信装置。
【発明の詳細な説明】
【０００１】
【発明の属する技術分野】
本発明は、テレビジョン放送波に重畳された映像情報や音声情報と共に文字情報や制御情報を受信する受信装置に関する。
【０００２】
【従来の技術】
テレビジョン放送は、映像情報や音声情報の他に、文字情報や別の映像情報等を多重化する文字多重放送を含んでいる。この文字多重放送は、テレビジョン放送波の映像情報の垂直帰線期間中に文字情報や別の映像情報等を重畳化して受信装置側に送る方法である。
【０００３】
特開平６−２３７４２３号公報では、視聴者が事前に設定した制御情報と受信した文字情報の内容を表す制御情報（例えば、字幕などの現在放送中の番組に関する文字情報であるか否かや文字情報の出力位置等）の種類が同じか判別し、文字情報出力の可否を選択するテレビジョン信号受信装置が提案されている。
【０００４】
【発明が解決しようとする課題】
特開平６−２３７４２３号は、受信した制御情報の種類を判断して文字情報出力の可否を選択するテレビジョン信号受信装置ではあるが、例えば受信装置の電源スイッチをＯＦＦしている時や電源がＯＮ状態であってもたまたま文字情報の出力している間に出力先である表示装置の前にいなかった場合には、必要としている文字情報を見逃すと言った課題がある。
【０００５】
また、受信した文字情報は、受信装置と接続されている表示装置に出力されるため、外出時や他の部屋にいる場合には、必要としている文字情報をリアルタイムで確認できないと言った課題もある。
【０００６】
さらに、番組に集中して視聴している時等に、文字情報が画面上に合成表示されることは非常に不快に感じると言った課題もあった。
【０００７】
【課題を解決するための手段】
これら課題を解決するため、本発明の受信装置では、コード化された文字情報とこの文字情報の種類を表す制御情報を重畳したテレビジョン放送波を受信して復調し、復調した文字情報を映像情報に変換して、復調した制御情報の種類を検索し、検索した判断結果に応じて、入力したテレビジョン放送波に文字情報をテレビジョン映像に合成する機能を備えた受信装置に於いて、視聴者が、キーワードを入力する入力手段と、複数のキーワードを記憶するキーワード記憶手段と、復調された文字情報の中にキーワードが含まれているかを検索し検索結果を判断する判断手段と、キーワードを含んだ文字情報と即時表示されたか否かを示す出力フラグを記憶する文字情報記憶手段と、記憶した文字情報を読み出す読み出し手段と、電源スイッチのＯＮ／ＯＦＦに関わらずテレビジョン放送波の入力や文字情報の検索／記憶に関わる手段への電力を供給し常時稼動させる電力供給手段と、電源スイッチのＯＮ／ＯＦＦを検知する電源スイッチ検出手段を備え、電源スイッチがＯＮされた時に、前記文字情報記憶手段から表示装置に即時出力されなかったことを示す出力フラグと共に記憶された文字情報を表示装置に出力させることで、必要としている文字情報を見逃さずに確認できる。
【０００８】
また、キーワードを含んだ文字情報を表示装置に即時出力するか否かを視聴者が選択する文字情報出力選択手段を備え、前記文字情報出力選択手段によって文字情報を即時出力すると選択された時に、前記文字情報記憶手段から表示装置に即時出力されなかったことを示す出力フラグと共に記憶された文字情報を表示装置に出力させることで、必要としている文字情報を見逃さずに確認できる。
【０００９】
また、視聴者が文字情報を出力する情報装置を入力する情報装置設定手段と、入力された情報装置に任意の送信先に送信する情報を記憶する情報記憶手段と、視聴者が指定した情報装置に送信するための通信手段を備え、キーワードを含んだ文字情報を受信した時に、前記情報記憶手段で記憶されている情報に従って前記情報装置設定手段で指定された任意の送信先に文字情報を出力させることで、必要としている文字情報をリアルタイムで確認できる。
【００１０】
また、視聴者が文字情報出力とアイコン出力を設定する文字情報／アイコン出力設定手段と、視聴者がキーワードに応じたアイコンの選択／作成／大きさを設定するアイコン設定手段と、複数のアイコンを記憶するアイコン記憶手段と、アイコンを生成するアイコン生成部を備え、前記文字情報／アイコン出力設定手段でアイコン出力に設定された期間に出力させたい文字情報を受信した場合には、前記アイコン設定手段で設定したアイコンを視聴中の画像に邪魔にならないように出力させ、前記文字情報／アイコン出力設定手段で文字情報出力に設定された場合には、出力しているアイコンに対応した文字情報を表示装置に出力させることで、番組に無関係な文字情報の出力によって感じていた不快感を軽減させることができる。
【００１１】
【発明の実施の形態】
本発明の実施の形態を、図面を用いて説明する。
【００１２】
（実施の形態１）
図１に示すように、アンテナ１−１、チューナ１−２、音声部１−３、データ検出部１−４、映像部１−５、制御部１−６、スピーカ（音声出力手段）１−７、ＣＲＴ（映像表示手段）１−８、操作部１−９、通信部１−１０、電話機（通信手段）１−１１、ＰＨＳ（情報装置）１−１２を備えている。
【００１３】
チューナ１−２は、図２に示すように入力したテレビジョン放送波を中間検波信号に復調する中間検波増幅回路１−２−１と中間周波信号を映像検波する検波回路１−２−２を具備しており、音声部１−３、映像部１−５、データ検出部１−４にそれぞれの情報を出力する。
【００１４】
音声部１−３は、音声データを音声信号に変換しスピーカ１−７に出力する。
【００１５】
データ検出部１−４は、図２に示すようにチューナ１−２で検波された中間周波信号から符号化された文字情報と文字情報の種類や制御を表す制御情報を検出し、文字情報と制御情報を検出したことを制御回路１−６−１に知らせるデータ検出回路１−４−１と、データ検出回路１−４−１で検出された文字情報と制御情報を復号するデコード回路１−４−２と、視聴者が操作部１−９を用いて設定した複数のキーワードを記憶するキーワードメモリ１−４−６と、デコード回路１−４−２で復号された文字情報とキーワードメモリ１−４−６に記憶されているキーワードを比較し、結果を制御回路１−６−１に出力する比較回路１−４−３と、比較回路１−４−３で比較した結果により、視聴者が予め設定したキーワードを含んだ文字情報、つまり視聴者が即時出力しない設定を行った期間や受信装置の電源スイッチがＯＦＦの期間にキーワードを含んだ文字情報を検出した場合と、ＣＲＴ１−８や指定された情報装置であるＰＨＳ１−１２に即時出力した場合を識別するための出力フラグを付けて記憶する文字情報蓄積回路１−４−７と、文字情報を制御回路１−６−１から出力される制御信号に従って映像情報に変換し、合成回路１−４−５へ出力するキャラクタジェネレータ１−４−４と後述、映像増幅回路１−５−１から出力された本来の映像情報とキャラクタジェネレータ１−４−４で映像情報に変換された文字情報を合成させ映像出力切替回路１−５−２へ合成した映像情報を出力する合成回路１−４−５を具備している。
【００１６】
映像部１−５は、図２に示すように検波回路１−２−２で検波された信号の中の映像情報を復調し映像処理する映像増幅回路１−５−１と、映像増幅回路１−５−１で映像処理された映像信号と合成回路１−４−５で合成した映像信号を制御回路１−６−１からの制御により切替えＣＲＴ１−８に出力する映像出力切替回路１−５−２を具備している。
【００１７】
制御部１−６は、図２に示すようにデータ検出回路１−４−１や比較回路１−４−３の結果の判断や、デコード回路１−４−２で復調した制御情報の種類の判断や、制御情報の判断結果によって、文字情報とキーワードの比較及び文字情報と出力フラグの記憶の可否や、キャラクタジェネレータ１−４−４に対し文字情報の出力位置等を制御する制御信号の出力や、映像出力切替回路１−５−２に入力する本来の映像情報と合成した映像情報の切替えや、キーワードメモリ１−４−６や文字情報蓄積回路１−４−７に対し記憶している情報の出力や、指定された情報装置に任意の送信先に送信するための情報の記憶や、受信装置の電源スイッチのＯＮ／ＯＦＦの検知や、視聴者が文字情報を即時出力するか否かの設定を検知する等の制御を行う制御回路１−６−１と電源スイッチのＯＮ／ＯＦＦに関わらずテレビジョン放送波の入力や文字情報の検出／記憶等を行うチューナ１−２やデータ検出部１−４や制御部１−６に電力を供給する供給部とその他の電源スイッチのＯＮ／ＯＦＦに同期して供給する供給部で構成された電力供給回路１−６−２を具備している。
【００１８】
通信部１−１０は、電話回線などの通信回線を用いて、視聴者が指定する情報装置へ文字情報を出力する。
【００１９】
操作部１−９は、キーワードメモリ１−４−６に記憶させるキーワードの入力や、文字情報蓄積回路１−４−７に記憶された文字情報の出力や、視聴者が指定した情報装置の情報を記憶させる情報の入力や、受信番組の切替え等を行う。
【００２０】
（実施の形態２）
図１０に示すように、アンテナ１−１、チューナ１−２、音声部１−３、データ検出部１−４、映像部１−５、制御部１１−６、スピーカ（音声出力手段）１−７、ＣＲＴ（映像表示手段）１−８、操作部１０−９を備えている。
【００２１】
同図において、チューナ１−２、音声部１−３、映像部１−５の構成及び動作は、実施の形態１と同じである。
【００２２】
データ検出部１−４は、図１０に示すようにチューナ１−２で検波された中間周波信号から符号化された文字情報と文字情報の種類や制御を表す制御情報を検出し、文字情報と制御情報を検出したことを制御回路１０−６−１に知らせるデータ検出回路１−４−１と、データ検出回路１−４−１で検出された文字情報と制御情報を復号するデコード回路１−４−２と、視聴者が操作部１０−９を用いて設定した複数のキーワードを記憶するキーワードメモリ１−４−６と、デコード回路１−４−２で復号された文字情報とキーワードメモリ１−４−６に記憶されているキーワードを比較し、結果を制御回路１０−６−１に出力する比較回路１−４−３と、文字情報と後述、アイコンメモリ１０−４−８に記憶されたアイコンを制御回路１０−６−１から出力される制御信号に従って映像情報に変換し、合成回路１−４−５へ出力するキャラクタジェネレータ１−４−４と、映像増幅回路１−５−１から出力された本来の映像情報とキャラクタジェネレータ１−４−４で映像情報に変換された文字情報を合成させ映像出力切替回路１−５−２へ合成した映像情報を出力する合成回路１−４−５と、比較回路１−４−３で比較した結果により、視聴者が予め設定したキーワードを含んだ文字情報、つまり視聴者がアイコン出力を選択した期間や受信装置の電源スイッチがＯＦＦの期間にキーワードを含んだ文字情報を検出した場合と、ＣＲＴ１−８に即時出力した場合を識別するための出力フラグを付けて記憶する文字情報蓄積回路１−４−７と、アイコン出力を選択されている時に、文字情報の変わりに出力する複数のアイコンを記憶するアイコンメモリ１０−４−８を具備している。
【００２３】
制御部１−６は、図１０に示すようにデータ検出回路１−４−１や比較回路１−４−３の結果の判断や、デコード回路１−４−２で復調した制御情報の種類の判断や、制御情報の判断結果によって、文字情報とキーワードの比較及び文字情報と出力フラグの記憶の可否や、キャラクタジェネレータ１−４−４に対し文字情報やアイコンの出力位置等を制御する制御信号の出力や、映像出力切替回路１−５−２に入力する本来の映像情報と合成した映像情報の切替えや、キーワードメモリ１−４−６や文字情報蓄積回路１−４−７やアイコンメモリ１０−４−８に対し記憶している情報の出力や、受信装置の電源スイッチのＯＮ／ＯＦＦの検知や、視聴者が文字情報出力とアイコン出力のどちらを選択しているか検知する等の制御を行う制御回路１０−６−１と、電源スイッチのＯＮ／ＯＦＦに関わらずテレビジョン放送波の入力や文字情報の検出／記憶等を行うチューナ１−２やデータ検出部１−４や制御部１−６に電力を供給する供給部とその他の電源スイッチのＯＮ／ＯＦＦに同期して供給する供給部で構成された電力供給回路１−６−２を具備している。
【００２４】
操作部１０−９は、キーワードメモリ１−４−６に記憶させるキーワードの入力や、文字情報蓄積回路１−４−７に記憶された文字情報の出力や、アイコンメモリ１０−４−８に出力させるアイコンの設定や、文字情報出力とアイコン出力の選択や、受信番組の切替え等を行う。
【００２５】
［実施例１］
以下、本発明の実施例１の受信装置を図に基づき説明する。
【００２６】
図１は、本実施例の全体の構成を説明するブロック図である。
【００２７】
同図において、チューナ１−２は、アンテナ１−１で受信するテレビジョン放送波を選局し、音声情報と映像情報と文字情報と制御情報を中間周波信号に変換し各情報を復調し音声部１−３、映像部１−５、データ検出部１−４にそれぞれの情報を出力する。
【００２８】
音声部１−３は、音声情報を復調後音声処理しスピーカ１−７に出力する。
データ検出部１−４は、チューナ１−２からの情報から文字情報や文字情報の種類や制御を表す制御情報の検出や検出した文字情報の比較や映像情報への変換等を行う。
【００２９】
映像部１−５は、チューナ１−２で受信した映像情報と前記データ検出部１−４で合成された映像情報を切替え、映像表示手段であるＣＲＴ１−８に出力する。
【００３０】
制御部１−６は、データ検出部１−４で検出した結果に応じて、データ検出部１−４や映像部１−５や後述、通信部１−１０の制御や、電源スイッチのＯＮ／ＯＦＦの検知や、電源スイッチのＯＮ／ＯＦＦに関わらずテレビジョン放送波の入力や文字情報の検出／記憶に関わる回路に電力を供給する等の制御を行う。
【００３１】
操作部１−９は、視聴者が文字情報に含まれるキーワードの入力操作や通信部１−１０でデータを通信する情報装置を設定する等に用いる入力装置である。
【００３２】
通信部１−１０は、電話回線などの通信回線を用いて文字情報を通信する。
ＰＨＳ１−１２は、制御回路１−６−１で視聴者が指定した情報装置の例であり、携帯電話等やインターネットを用いた電子メールなど通信手段は特定しない。
【００３３】
図２は、本発明のチューナ１−２、データ検出部１−４、映像部１−５、制御部１−６の詳細ブロック図である。
【００３４】
チューナ１−２で入力したテレビジョン放送波は、中間検波増幅回路１−２−１にて中間周波信号に復調される。検波回路１−２−２は、復調された中間周波信号を映像検波する。
【００３５】
映像増幅回路１−５−１は、検波回路１−２−２で検波された信号の中の映像情報を復調し映像処理する。
【００３６】
映像出力切替回路１−５−２は、映像増幅回路１−５−１で映像処理された本来の映像情報と後述、合成回路１−４−５で文字情報と合成された映像情報を制御回路１−６−１からの制御信号により切替えてＣＲＴ１−８に出力する。
【００３７】
データ検出回路１−４−１は、チューナ１−２で検波された中間周波信号から符号化された文字情報と文字情報の種類や制御を表す制御情報を検出し、文字情報と制御情報を検出したことを制御回路１−６−１に知らせる。
【００３８】
デコード回路１−４−２は、データ検出回路１−４−１で検出された文字情報と制御情報を復号する。
【００３９】
キーワードメモリ１−４−６は、視聴者が操作部１−９を用いて設定した複数のキーワードを記憶している。
【００４０】
比較回路１−４−３は、デコード回路１−４−２で復号された文字情報とキーワードメモリ１−４−６に記憶されているキーワードを比較し、結果を制御回路１−６−１に出力する。
【００４１】
文字情報蓄積回路１−４−７には、比較回路１−４−３で比較した結果により、キーワードを含んでいる文字情報が保存されている。さらに、制御回路１−６−１からＣＲＴ１−８あるいは、ＰＨＳ１−１２に即時出力したか否かを識別する出力フラグを付けて記憶する。尚、文字情報蓄積回路１−４−７は、操作部１−９を操作することにより、視聴者が自由に文字情報を記憶する期間の設定や選択して文字情報を消去することができる。また、記憶容量を越えた場合、古い情報から順に消去する。
【００４２】
キャラクタジェネレータ１−４−４は、文字情報を制御回路１−６−１から出力される制御信号に従って映像情報に変換し合成回路１−４−５へ変換した映像情報を出力する。
【００４３】
合成回路１−４−５は、映像増幅回路１−５−１で映像処理された本来の映像情報とキャラクタジェネレータ１−４−４で映像情報に変換した文字情報を合成させ映像出力切替回路１−５−２へ出力する。
【００４４】
制御回路１−６−１は、データ検出回路１−４−１や比較回路１−４−３の結果により、映像出力切替回路１−５−２から出力される映像情報の切替えや、デコード回路１−４−２から得る復調された制御情報を判断し、本来の映像情報に関する情報であれば、比較回路１−４−３及び文字情報蓄積回路１−４−７に対して、比較や記憶をさせずにそのままキャラクタジェネレータ１−４−４に文字情報を出力させる制御信号の出力や、キャラクタジェネレータ１−４−４に対し文字情報の画面への出力位置等を制御する制御信号の出力や、キーワードメモリ１−４−６や文字情報蓄積回路１−４−７に記憶している情報の出力や、指定された情報装置に任意の送信先に送信するための情報の検知および記憶や、操作部１−９の入力による電源スイッチのＯＮ／ＯＦＦの検知および、文字情報を即時出力するか否かの設定を検知する等の制御を行う。
【００４５】
電源供給回路１−６−２は、本受信装置の電源スイッチのＯＮ／ＯＦＦに関わらずテレビジョン放送波の入力や文字情報の検出／記憶等を行うチューナ１−２やデータ検出部１−４や制御部１−６に電力を供給する供給部とその他の電源スイッチのＯＮ／ＯＦＦに同期して供給する供給部で構成している。
【００４６】
操作部１−９は、キーワードメモリ１−４−６に記憶させるキーワードの入力や、文字情報蓄積回路１−４−７に記憶された文字情報の出力や、制御回路１−６−１に記憶させる情報装置の情報入力や、電源スイッチのＯＮ／ＯＦＦや、チューナ１−２の制御等の視聴者が入力操作を行う入力装置である。尚、この操作部１−９は、遠隔操作できるリモコンや受信装置に備え付けのタッチパネルやキースイッチ等が考えられる。
【００４７】
図３は、テレビジョン放送局で作成されるテレビジョン放送波の一例である。
【００４８】
３０１は、垂直ブランキング期間内における所定の水平走査信号（１Ｈ）に文字情報と文字情報の種類や制御を表す制御情報がコード化されて重畳されている。制御情報とは、受信した文字情報が番組に関する情報なのか、臨時ニュース等の番組とは無関係な情報なのかを識別する情報や文字情報の表示位置等と言った情報である。このようなビデオ信号が変調されてテレビジョン放送波となり、テレビジョン放送局のアンテナから送信される。
【００４９】
図４は、本実施例の形態に関わるキーワード一致と文字情報の表示の出力設定と通信設定の条件を示す表である。
【００５０】
４０１は、キーワードとなる文字列を設定するブロックであり、「大雪」「大雨」「交通」「台風  関東」等がキーワードとして設定されていることを表している。
【００５１】
４０２は、ＣＲＴ１−８に文字情報を即時出力するか否かを設定するブロックであり、即時出力する場合は「○」に、即時出力しない場合は「×」で表している。
【００５２】
４０３は、指定する情報装置に文字情報を通信するか否かを設定するブロックであり、通信する場合は「○」、通信しない場合は「×」で表している。
【００５３】
図５は、本実施例の形態に関わるデータ蓄積回路１−４−７に記憶されたデータの一例である。
【００５４】
５０１は、記憶した文字情報のＮｏ．を示すブロックである。
【００５５】
５０２は、文字情報を記憶した日付を示すブロックである。
【００５６】
５０３は、文字情報を記憶した時間を示すブロックである。
【００５７】
５０４は、出力フラグを示すブロックであり、本実施例では、文字情報として即時出力した時は「０」を、即時出力しなかった時は「１」として記憶する。
【００５８】
５０５は、キーワードを含んだ文字情報を記憶するブロックである。
【００５９】
図６は、本実施例の形態に関わるＣＲＴ１−８に表示される表示例である。
【００６０】
（ａ）は、ＣＲＴ１−８の表示エリア６０１に表示されている映像であり、映像増幅回路１−５−１で映像処理された映像情報を表示している。
【００６１】
（ｂ）は、キーワードを含む文字情報を出力した場合の表示例であり、ＣＲＴ１−８の表示エリア６０１に、映像情報に変換された文字情報と映像増幅回路１−５−１で映像処理された本来の映像情報を合成した映像情報が出力されており、文字情報６０２が「大雪注意報が東北地方に出ています」と表示される。
【００６２】
図７は、本実施例の形態に関わる情報装置であるＰＨＳ１−１２に文字情報を送信した時の表示例である。
【００６３】
７０１は、ＰＨＳ１−１２の表示部であり、電話機１−１１から送信された文字情報を受信し、例えば文字情報が「大雪注意報が東北地方に出ています」と表示されるが、文字を表示する変わりに音声情報として確認する等、情報の確認手段は特定しない。
【００６４】
このように本実施例１の受信措置では、例えば、文字情報である「大雪注意報が東北地方に出ています」がテレビジョン放送波に重畳されて送信され、チューナ１−２で受信した場合、制御回路１−６−１は、受信した文字情報に視聴者によって予め設定されたキーワード４０１が含まれているか比較する。文字情報には、キーワード４０１の「大雪」が含まれているので、制御回路１−６−１は、文字情報の表示の出力設定４０２と通信設定４０３の条件を照合し、出力設定の有無を判断する。表示出力は、即時出力する「○」に設定されているため、ＣＲＴ１−８の表示エリア６０１に、映像情報に変換された文字情報と映像増幅回路１−５−１で映像処理された本来の映像情報を合成した映像情報が出力され、図６の（ｂ）のような文字情報６０２として「大雪注意報が東北地方に出ています」とＣＲＴ１−８の表示エリア６０１に表示される。
【００６５】
また、通信設定４０３も文字情報を通信する「○」に設定されているため、視聴者が指定した情報装置であるＰＨＳ１−１２に文字情報を送信し、表示部８０１に図８のような「大雪注意報が東北地方に出ています」と表示される。
【００６６】
これらと同時に制御回路１−６−１は、データ蓄積回路１−４−７に文字情報を記憶した日付６０２、記憶した時間６０３、文字情報を出力したか否かの識別を示す出力フラグ６０４、受信した文字情報６０５等を記憶させる。
【００６７】
図８および図９は、本実施例の形態に関わる制御回路１−６−１による文字情報と情報装置への通信に関する動作フローチャートである。
【００６８】
Ｓ８０１は、制御回路１−６−１が中間周波数信号に符号化された文字情報及び制御情報が重畳されているかデータ検出回路１−４−１からの結果により、文字情報と制御情報が重畳されていればＳ８０２へ、重畳されていなければＳ８１３へ進む。
【００６９】
Ｓ８０２は、制御回路１−６−１が番組に関する制御情報であるか否かを判断し、制御情報が番組に関するものであればＳ８０９へ、関係なければＳ８０３へ進む。
【００７０】
Ｓ８０３は、制御回路１−６−１が文字情報にキーワードを含んでいるか比較回路１−４−３において検出するために、キーワードメモリ１−４−６から記憶している複数のキーワードを出力させて、Ｓ８０４へ進む。
【００７１】
Ｓ８０４は、制御回路１−６−１が文字情報に記憶しているキーワードが含まれているか比較回路１−４−３からの比較結果により、キーワードが含まれていればＳ８０５へ、含まれていなければＳ８１３へ進む。
【００７２】
Ｓ８０５は、制御回路１−６−１が比較した文字情報が既に文字情報蓄積回路１−４−７に記憶されていないか検索し、重複していなければＳ８０６へ、重複していればＳ８１３へ進む。
【００７３】
Ｓ８０６は、制御回路１−６−１がＣＲＴ１−８の電源スイッチがＯＮであるかや文字情報を即時出力する設定であるか検出し、ＣＲＴ１−８に出力可能な設定であればＳ８０７へ、出力不可能な設定であればＳ８１０へ進む。
【００７４】
Ｓ８０７は、制御回路１−６−１が文字情報蓄積回路１−４−７に文字情報と出力フラグを出力済として記憶し、Ｓ８０８に進む。
【００７５】
Ｓ８０８は、制御回路１−６−１が文字情報と映像増幅回路１−５−１で映像処理された本来の映像情報を合成回路１−４−５で合成させるため、文字情報を出力させて、Ｓ８０９に進む。
【００７６】
Ｓ８０９は、制御回路１−６−１が合成回路１−４−５で合成した映像情報をＣＲＴ１−８に出力させるため、映像出力切替回路１−５−２に合成された映像情報を出力する設定に切替え、ぬける。
【００７７】
Ｓ８１０は、制御回路１−６−１がＣＲＴ１−８の電源スイッチのＯＦＦ時や、文字情報を即時出力しない設定にされている時に、指定された情報装置に送信するための情報を記憶しているか検索し、記憶していればＳ８１２へ、記憶して無ければＳ８１１に進む。
【００７８】
Ｓ８１１は、制御回路１−６−１が文字情報蓄積回路１−４−７に文字情報と出力フラグを未出力として記憶させ、Ｓ８１３に進む。
【００７９】
Ｓ８１２は、制御回路１−６−１が指定された情報装置であるＰＨＳ１−１２に文字情報を出力するため、通信部１−９に文字情報を出力させ、また文字情報蓄積回路１−４−７に文字情報と出力フラグを出力済として記憶しぬける。
【００８０】
Ｓ８１３は、制御回路１−６−１が映像増幅回路１−５−１で映像処理された本来の映像情報をＣＲＴ１−８に出力させるため、映像出力切替回路１−５−２に映像増幅回路１−５−１で映像処理された本来の映像情報を出力する設定に変更してぬける。
【００８１】
図９は、制御回路１−６−１が文字情報を即時出力しない設定から即時出力する設定に変更された時やＣＲＴ１−８の電源スイッチをＯＮした時の文字情報出力に関するフローチャートである。
【００８２】
Ｓ９０１は、制御回路１−６−１が文字情報を即時出力しない設定にしていた期間やＣＲＴ１−８の電源スイッチをＯＦＦしていた期間に文字情報蓄積回路１−４−７が文字情報を記憶したか検索し、記憶していればＳ９０３へ、記憶していなければＳ９０２へ進む。
【００８３】
Ｓ９０２は、制御回路１−６−１が映像増幅回路１−５−１で映像処理された本来の映像情報をＣＲＴ１−８に出力させるため、映像出力切替回路１−５−２に映像増幅回路１−５−１で映像処理された本来の映像情報を出力する設定に切替えぬける。
【００８４】
Ｓ９０３は、制御回路１−６−１が文字情報蓄積回路１−４−７に出力フラグを未出力として記憶した文字情報があるか検索し、文字情報があればＳ９０４へ、文字情報が無ければＳ９０２へ進む。
【００８５】
Ｓ９０４は、制御回路１−６−１が未出力フラグの付いた文字情報と映像増幅回路１−５−１で映像処理された本来の映像情報を合成回路１−４−５で合成させるため、文字情報蓄積回路１−４−３に記憶した文字情報を出力させて、Ｓ９０５に進む。
【００８６】
Ｓ９０５は、制御回路１−６−１が合成回路１−４−５で合成された映像情報をＣＲＴ１−８に出力させるため、映像出力切替回路１−５−２に合成された映像情報を出力する設定に切替え、Ｓ９０６へ進む。
【００８７】
Ｓ９０６は、制御回路１−６−１がＣＲＴ１−８に出力した文字情報の出力フラグを未出力から出力済に変更し記憶させ、Ｓ９０３へ進む。
【００８８】
［実施例２］
以下、本発明の実施例２の受信装置を図に基づき説明する。
【００８９】
図１０は、本発明のチューナ１−２、データ検出部１−４、映像部１−５、制御部１−６、操作部１０−９の詳細ブロック図である。
【００９０】
同図において、チューナ１−２、音声部１−３、映像部１−５の構成及び動作は、実施例１と同じである。
【００９１】
データ検出回路１−４−１は、チューナ１−２で検波された中間周波信号から符号化された文字情報と文字情報の種類や制御を表す制御情報を検出し、文字情報と制御情報を検出したことを制御回路１０−６−１に知らせる。
【００９２】
デコード回路１−４−２は、データ検出回路１−４−１で検出された文字情報と制御情報を復号する。
【００９３】
キーワードメモリ１−４−６は、視聴者が操作部１０−９を用いて設定した複数のキーワードを記憶している。
【００９４】
比較回路１−４−３は、デコード回路１−４−２で復号された文字情報とキーワードメモリ１−４−６に記憶されているキーワードを比較し、結果を制御回路１０−６−１に出力する。
【００９５】
文字情報蓄積回路１−４−７には、比較回路１−４−３で比較した結果により、キーワードを含んでいる文字情報が保存されている。さらに、制御回路１０−６−１からＣＲＴ１−８に即時出力したか否かを識別する出力フラグを付けて記憶する。尚、文字情報蓄積回路１−４−７は、操作部１０−９を操作することにより、視聴者が自由に文字情報を記憶する期間の設定や選択して文字情報を消去することができる。また、記憶容量を越えた場合、古い情報から順に消去する。
【００９６】
キャラクタジェネレータ１−４−４は、文字情報と後述、アイコンメモリ１０−４−８に記憶されたアイコンを制御回路１０−６−１から出力される制御信号に従って映像情報に変換し合成回路１−４−５へ変換した映像情報を出力する。
【００９７】
合成回路１−４−５は、映像増幅回路１−５−１で映像処理された本来の映像情報とキャラクタジェネレータ１−４−４で映像情報に変換した文字情報を合成させ映像出力切替回路１−５−２へ出力する。
【００９８】
アイコンメモリ１０−４−８は、アイコン出力に設定されている時に、文字情報の替わりに出力させる複数のアイコンを記憶している。尚、このアイコンは、操作部１０−９によって視聴者が自由に作成や選択や大きさを設定できる。
【００９９】
制御回路１０−６−１は、データ検出回路１−４−１や比較回路１−４−３の結果により、映像出力切替回路１−５−２から出力される映像情報の切替えや、デコード回路１−４−２から得る復調された制御情報を判断し、本来の映像情報に関する情報であれば、比較回路１−４−３及び文字情報蓄積回路１−４−７に対して、比較や記憶をさせずにそのままキャラクタジェネレータ１−４−４に文字情報を出力させる制御信号の出力や、キャラクタジェネレータ１−４−４に対し文字情報の画面への出力位置等を制御する制御信号の出力や、キーワードメモリ１−４−６や文字情報蓄積回路１−４−７やアイコンメモリ１０−４−８に記憶している情報の出力や、操作部１０−９の入力による電源スイッチのＯＮ／ＯＦＦの検知および、文字情報を即時出力するか否かの設定を検知する等の制御を行う。
【０１００】
電源供給回路１−６−２は、本受信装置の電源スイッチのＯＮ／ＯＦＦに関わらずテレビジョン放送波の入力や文字情報の検出／記憶等を行うチューナ１−２やデータ検出部１−４や制御部１−６に電力を供給する供給部とその他の電源スイッチのＯＮ／ＯＦＦに同期して供給する供給部で構成している。
【０１０１】
操作部１０−９は、キーワードメモリ１−４−６に記憶させるキーワードの入力や、文字情報蓄積回路１−４−７に記憶された文字情報の出力や、アイコンメモリ１０−４−８に記憶させる出力させたいアイコンの設定や、電源スイッチのＯＮ／ＯＦＦや、チューナ１−２の制御等の視聴者が入力操作を行う入力装置である。尚、この操作部１０−９は、遠隔操作できるリモコンや受信装置に備え付けのタッチパネルやキースイッチ等が考えられる。
【０１０２】
図１１は、本実施例の形態に関わるアイコンメモリ１０−４−８に記憶させるアイコンの一例である。
【０１０３】
１１０１は、キーワードを示す文字列のブロックであり、「大雪」「大雨」「交通」と言ったキーワードが記憶されている。
【０１０４】
１１０２は、入力されたアイコンを記憶するブロックであり、本実施例では「大雪」として雪だるまのアイコンが、「大雨」としてカエルのアイコンが、「交通」として自動車のアイコンがそれぞれ設定され記憶されている。
【０１０５】
図１２は、本実施例の形態に関わるＣＲＴ１−８に表示される表示例である。
【０１０６】
（ａ）は、ＣＲＴ１−８の表示エリア１２０１に出力されている映像であり、映像増幅回路１−５−１で映像処理された本来の映像情報が出力されている。
【０１０７】
（ｂ）は、アイコン出力に設定している時にキーワードを含んだ文字情報を受信した場合の映像出力であり、合成回路１−４−５において、図１１で設定した大雪を示すアイコン１２０２と映像増幅回路１−５−１で映像処理された本来の映像情報を合成した映像データがＣＲＴ１−８の表示エリア１２０１に出力され、視聴中の番組映像の邪魔にならいように画面の隅にアイコンが出力されている。
【０１０８】
（ｃ）は、アイコン１２０２が出力されている時に、文字情報を即時出力する設定に変更された場合の映像出力であり、アイコン１２０２に該当する文字情報が文字情報蓄積回路１−４−７から出力され、文字情報と映像増幅回路１−５−１で映像処理された本来の映像情報を合成回路１−４−５で合成し、例えば「東北地方に大雪の被害が出ています」の文字情報１２０３が出力されている。
【０１０９】
尚、（ｂ）や（ｃ）のアイコンと文字情報の出力位置は例であり、アイコンや文字情報の出力位置は、視聴者によって自由に設定できるものとする。
【０１１０】
図１３および図１４は、本実施例の形態に関わる制御回路１０−６−１による文字情報出力とアイコン出力に関する動作フローチャートである。
【０１１１】
Ｓ１３０１は、制御回路１０−６−１が中間周波数信号に符号化された文字情報及び制御情報が重畳されているかデータ検出回路１−４−１からの結果により、文字情報と制御情報が重畳されていればＳ１３０２へ、重畳されていなければＳ１３１２へ進む。
【０１１２】
Ｓ１３０２は、制御回路１０−６−１が番組に関する制御情報であるか否かを判断し、制御情報が番組に関するものであればＳ１３１１へ、関係なければＳ１３０３へ進む。
【０１１３】
Ｓ１３０３は、制御回路１０−６−１が文字情報にキーワードを含んでいるか比較回路１−４−３において検出するために、キーワードメモリ１−４−６から記憶している複数のキーワードを出力させて、Ｓ１３０４へ進む。
【０１１４】
Ｓ１３０４は、制御回路１０−６−１が文字情報に記憶しているキーワードが含まれているか比較回路１−４−３からの比較結果により、キーワードが含まれていればＳ１３０５へ、含まれていなければＳ１３１２へ進む。
【０１１５】
Ｓ１３０５は、制御回路１０−６−１が比較した文字情報が既に文字情報蓄積回路１−４−７に記憶されていないか検索し、重複していなければＳ１３０６へ、重複していればＳ１３１２へ進む。
【０１１６】
Ｓ１３０６は、制御回路１０−６−１がＣＲＴ１−８に文字情報を即時出力する設定であるか、アイコン出力する設定であるか検出し、文字情報を即時出力する設定であればＳ１３１０へ、アイコン出力する設定であればＳ１３０７へ進む。
【０１１７】
Ｓ１３０７は、制御回路１０−６−１が文字情報蓄積回路１−４−７に文字情報と出力フラグを未出力として記憶させ、Ｓ１３０８に進む。
【０１１８】
Ｓ１３０８は、制御回路１０−６−１がキーワードに対応したアイコンと映像増幅回路１−５−１で映像処理された本来の映像情報を合成回路１−４−５で合成させるため、アイコンメモリ１０−４−８に記憶しているアイコンを出力させて、Ｓ１３０９に進む。
【０１１９】
Ｓ１３０９は、制御回路１０−６−１が合成回路１−４−５で合成された映像情報をＣＲＴ１−８に出力させるため、映像出力切替回路１−５−２に合成された映像情報を出力する設定に切替えてぬける。
【０１２０】
Ｓ１３１０は、制御回路１０−６−１が文字情報と映像増幅回路１−５−１で映像処理された本来の映像情報を合成回路１−４−５で合成させるため、文字情報蓄積回路１−４−７に文字情報と出力フラグを出力済として記憶させ、さらに文字情報を出力させ、Ｓ１３１１に進む。
【０１２１】
Ｓ１３１１は、制御回路１０−６−１が合成回路１−４−５で合成された映像情報をＣＲＴ１−８に出力させるため、映像出力切替回路１−５−２に合成された映像情報を出力する設定に切替え、ぬける。
【０１２２】
Ｓ１３１２は、制御回路１０−６−１がＣＲＴ１−８にアイコンが出力されているか検索し、アイコンが出力されていればそのままアイコンを出力し続けるために何もせずにねける。出力されていなければＳ１３１３へ進む。
【０１２３】
Ｓ１３１３は、制御回路１０−６−１が映像増幅回路１−５−１で映像処理された本来の映像情報をＣＲＴ１−８に出力させるため、映像出力切替回路１−５−２に映像増幅回路１−５−１で映像処理された本来の映像情報を出力する設定に変更してぬける。
【０１２４】
図１４は、制御回路１０−６−１がアイコンを出力する設定から文字情報を即時出力する設定に変更された時の文字情報出力に関するフローチャートである。
【０１２５】
Ｓ１４０１は、制御回路１０−６−１がＣＲＴ１−８に出力しているアイコンに該当する文字情報あるいは、アイコン出力する設定にしていた期間に記憶した未出力フラグの付いた文字情報と映像増幅回路１−５−１で映像処理された本来の映像情報を合成回路１−４−５で合成させるため、文字情報蓄積回路１−４−３に記憶した文字情報を出力させて、Ｓ１４０２に進む。
【０１２６】
Ｓ１４０２は、制御回路１０−６−１が合成回路１−４−５で合成された映像情報をＣＲＴ１−８に出力させるため、映像出力切替回路１−５−２に合成された映像情報を出力する設定に切替え、Ｓ１４０３へ進む。
【０１２７】
Ｓ１４０３は、制御回路１０−６−１がＣＲＴ１−８に出力した文字情報の出力フラグを未出力から出力済に変更し記憶させ、Ｓ１４０４へ進む。
【０１２８】
Ｓ１４０４は、制御回路１０−６−１がアイコン出力する設定にしていた期間に文字情報蓄積回路１−４−７が文字情報を記憶したか検索し、記憶していればＳ１４０６へ、記憶していなければＳ１４０５へ進む。
【０１２９】
Ｓ１４０５は、制御回路１０−６−１が映像増幅回路１−５−１で映像処理された本来の映像情報をＣＲＴ１−８に出力させるため、映像出力切替回路１−５−２に映像増幅回路１−５−１で映像処理された本来の映像情報を出力する設定に切替えてぬける。
【０１３０】
Ｓ１４０６は、制御回路１０−６−１が文字情報蓄積回路１−４−７に出力フラグを未出力として記憶した文字情報があるか検索し、文字情報があればＳ１４０１へ、文字情報が無ければＳ１４０５へ進む。
【０１３１】
図１５は、本実施例の形態に関わるキーワード一致と文字情報の出力設定の条件を示す表である。
【０１３２】
１５０１は、キーワードとなる文字列を設定するブロックであり、「大雪」「大雨」「交通」がキーワードとして設定されていることを表している。
【０１３３】
１５０２は、ＣＲＴ１−８に文字情報を即時出力するかアイコン出力するかを設定するブロックであり、即時出力する場合は「○」に、アイコン出力する場合は「×」で表している。
【０１３４】
このように本実施例２の受信措置では、例えば、文字情報である「東北地方に大雪の被害が出ています」がテレビジョン放送波に重畳されて送信され、チューナ１−２で受信した場合、制御回路１０−６−１は、受信した文字情報に視聴者によって予め設定されたキーワード１５０１が含まれているか比較する。文字情報には、キーワード１５０１の「大雪」が含まれているので、制御回路１０−６−１は、文字情報の表示出力設定１６０２の条件を照合し、出力設定の有無を判断する。表示出力は、即時出力しない「×」に設定されているため、ＣＲＴ１−８の表示エリア１３０１には文字情報を出力させない。その代わりに、アイコンメモリ１１−４−８に記憶されている、キーワード１１０１の「大雪」を示す雪だるまのアイコン１１０２をキャラクタジェネレータ１−４−４で映像情報に変換し、映像情報に変換された雪だるまのアイコンと映像増幅回路１−５−１で映像処理された本来の映像情報を合成した映像情報が出力され、視聴中の番組映像の邪魔にならないように雪だるまのアイコン１３０２を図１２の（ｂ）のように表示エリア１３０１の隅に出力される。
【０１３５】
これらと同時に制御回路１１−６−１は、データ蓄積回路１−４−７に文字情報を記憶するＮｏ．６０１、記憶した日付６０２、記憶した時間６０３、文字情報を即時出力したか否かの識別をする出力フラグ６０４、受信した文字情報６０５等を記憶させる。
【０１３６】
また、雪だるまのアイコン１３０２を出力中に視聴者によって該当する文字情報を即時出力させる設定に変更された場合には、制御回路１１−６−１は文字情報蓄積回路１−４−７に記憶した文字情報をキャラクタジェネレータ１−４−４に出力するように信号を発信し、文字情報蓄積回路１−４−７は、該当する文字情報をキャラクタジェネレータに文字情報を送り、出力フラグ６０４を「１」から「０」に変更して記憶する。キャラクタジェネレータ１−４−４で映像情報に変換された文字情報と映像増幅回路１−５−１で映像処理された本来の映像情報を合成した映像情報が出力され、文字情報１３０３として図１２の（ｃ）のように「東北地方に大雪の被害が出ています」とＣＲＴ１−８の表示エリア１３０１に表示される。
【０１３７】
【発明の効果】
以上説明したように、受信したテレビジョン放送波に重畳されている文字情報と文字情報の内容を表す制御情報を常に検索し、キーワードを含む文字情報と表示装置や情報装置へ出力したか否かを識別する出力フラグを付けて記憶させる。また、文字情報を出力させる情報装置を予め指定しておくことにより、実施例１の受信装置では、電源スイッチをＯＦＦしていた期間や文字情報を即時出力しない設定にしていた期間に受信した文字情報であっても、電源スイッチがＯＮされた時や、文字情報を即時出力する設定にした時に、視聴者が確認していない文字情報を表示装置に出力させることで、視聴者は文字情報を見逃すことなく確認できると言った効果が得られる。また、予め指定された情報装置に文字情報を出力することで、何処にいても必要としている文字情報をリアルタイムで確認できると言った効果も得られる。
【０１３８】
実施例２の受信装置では、キーワードを含んだ文字情報を受信した時に、視聴中の番組に邪魔にならない程度のアイコンを表示エリアの隅等に出力させることで、番組視聴中に文字情報を表示することで感じていた不快感を軽減させることができ、例えば、番組放送以外のコマーシャル中に文字情報として表示できると言った効果も得られる。尚、本実施例２では、文字情報の変わりにアイコンを出力すると記載したが、「大雪」「大雨」等のキーワードとなる文字列のみを表示させても良い。
【図面の簡単な説明】
【図１】本発明の実施例１の構成図である。
【図２】実施例１のチューナ、映像部、データ検出部、制御部、通信部の処理を示す構成図である。
【図３】テレビジョン放送局から送信されるビデオ信号の一例を示した波形図である。
【図４】実施例１のキーワード一致と文字情報出力の設定と通信設定の条件を示す表である。
【図５】文字情報蓄積回路に記憶されたデータの一例である。
【図６】実施例１の表示の一例である。
【図７】実施例１の表示の一例である。
【図８】実施例１の制御回路の動作を表すフローチャートである。
【図９】実施例１の制御回路の動作を表すフローチャートである。
【図１０】実施例２のチューナ、映像部、データ検出部、制御部、通信部の処理を示す構成図である。
【図１１】アイコンメモリに記憶されたアイコンの一例である。
【図１２】実施例２の表示の一例である。
【図１３】実施例２の制御回路の動作を表すフローチャートである。
【図１４】実施例２の制御回路の動作を表すフローチャートである。
【図１５】実施例２のキーワード一致と文字情報出力の設定条件を示す表である。
【符号の説明】
１−１  アンテナ
１−２  チューナ
１−２−１  中間検波増幅回路
１−２−２  検波回路
１−３  音声部
１−４  データ検出部
１−４−１  データ検出回路
１−４−２  デコード回路
１−４−３  比較回路
１−４−４  キャラクタジェネレータ
１−４−５  合成回路
１−４−６  キーワードメモリ
１−４−７  文字情報蓄積回路
１−５  映像部
１−５−１  映像増幅回路
１−５−２  映像出力切替回路
１−６  制御部
１−６−１  制御回路
１−６−２  電力供給回路
１−７  スピーカ（音声出力手段）
１−８  ＣＲＴ（映像表示手段）
１−９  操作部（入力／操作手段）
１−１０  通信部
１−１１  電話機（通信手段）
１−１２  ＰＨＳ（情報装置）
【図１】
2004336462.tif 000003
【図２】
2004336462.tif 000004
【図３】
2004336462.tif 000005
【図４】
2004336462.tif 000006
【図５】
2004336462.tif 000007
【図６】
2004336462.tif 000008
【図７】
2004336462.tif 000009
【図８】
2004336462.tif 000010
【図９】
2004336462.tif 000011
【図１０】
2004336462.tif 000012
【図１１】
2004336462.tif 000013
【図１２】
2004336462.tif 000014
【図１３】
2004336462.tif 000015
【図１４】
2004336462.tif 000016
【図１５】
2004336462.tif 000017